(57)【要約】      （修正有）【課題】ホルダにより固定されたフェルトの下部は貯留槽に貯められた潤滑油に浸されることにより１台のインキポンプが有する８個のプランジャとシリンダに給油し、同時に隙間から漏れ出るインキの固着を防いでいる。従来のホルダは、１台のインキポンプに対し４個のホルダが必要である。漏れ出たインキが貯留槽内の潤滑油と混合され、またフェルトは漏れ出たインキが浸透するため潤滑油およびフェルトは定期的な交換が必要である。フェルトの交換にはホルダの着脱が必要となるが、着脱作業は非常に困難で、作業時間の浪費に繋がる。【解決手段】従来のホルダ５を２個１組として、ホルダ５とする。ホルダ上部には固定用の穴１１が明けられ、折り返し１０がつけられている。インキポンプ１への取付けは折り返し部分を貯留槽上部縁９にはめ込み、貯留槽６のアクリルカバー７と共にアクリルカバー取付ネジ８で固定する。ホルダ５の着脱を簡単に行なうことができ、フェルト４の交換を短時間で行なうことが可能となる。【選択図】図１
0003107855.tif 000002
【実用新案登録請求の範囲】
【請求項１】
印刷機のインキ供給装置として特公２００２−２９０２９に公開される形式のインキポンプにおいて、給油用フェルトの固定のためのホルダ（取付具）の改良型のホルダ（取付具）であり、インキポンプ１台に８個あるプランジャの４個に対して１個としたホルダ（取付具）。
【請求項２】
インキポンプ貯留槽上面のアクリルカバーの固定用穴を利用してカバーと共に取付け可能とした請求項１に記載のホルダ（取付具）。
【請求項３】
ホルダ（取付具）上部の折り返しがインキポンプ貯留槽上面の縁にはめ込まれ、アクリルカバー取付ネジで十分に固定される請求項２に記載のホルダ（取付具）。
【考案の詳細な説明】
【技術分野】
【０００１】本考案はインキポンプのプランジャ給油用フェルト固定用ホルダ（取付具）に関する。
【背景技術】
【０００２】特公２００２−２９０２９にて公開される三菱重工製インキポンプのプランジャ給油用として取り付けられているフェルトの固定用ホルダ（取付具）は２個のプランジャに対して１個として製作されている。【０００３】ホルダ（取付具）は貯留槽内壁に明けられたＭ４のネジ穴に２本の六角ボルトでスプリングワッシャと共に取り付けられ、給油用フェルトを固定している。
【考案の開示】
【考案が解決しようとする課題】
【０００４】インキポンプのプランジャの給油用フェルトはプランジャから漏れたインキが浸透するため、定期交換が必要である。従来のフェルト固定用ホルダ（取付具）は１個ごとに狭い貯留槽の内壁に２本のＭ４のボルトでスプリングワッシャと共に取り付けられている。【０００５】インキポンプを取り付けた印刷機上ではインキポンプ上部スペースが非常に狭く、また小さな貯留槽には手が入らないため、難しい姿勢で長時間の作業を強いられる。【０００６】取り外し及び取付時にはボルトあるいはスプリングワッシャを落下させる危険性があり、落下させると更なる長時間作業の原因となる。
【問題を解決するための手段】
【０００７】印刷機のインキ供給装置として特公２００２−２９０２９に公開されるインキポンプの給油用フェルトの固定のためのホルダ（取付具）を改良型したホルダ（取付具）であり、インキポンプ１台に８個あるプランジャのうち２個に対して１個のホルダ（取付具）をプランジャ４個に対して１個とした。
【０００８】インキポンプ貯留槽上面のアクリルカバーの固定用穴を利用してアクリルカバーと共に取付可能とした。
【０００９】取付部がインキポンプ貯留槽上面の縁を挟み込み、アクリルカバー取付ネジで十分に固定されることとした。
【考案の効果】
【００１０】従来のホルダ（取付具）は１台のインキポンプに４個取り付けられているが、改良型のホルダ（取付具）は１台のポンプに２個となり、取り付けに要する作業数が２分の１に減少する。
【００１１】ホルダ（取付具）の上部の折り返しがインキポンプ上面の貯留槽の縁を挟む構造となっており、ホルダ（取付具）のがたつきが無く安定するため、容易に取付けができる。
【００１２】改良型のホルダ（取付具）は貯留槽上部のアクリルカバー固定ネジでアクリルカバーと共に固定するため、従来使用されていたスプリングワッシャおよびボルトが不要となり、着脱が簡単である。
【実施例】以下実施例の図面について説明する。【００１３】図１（ｂ）に示す改良型のホルダ（取付具）５は、図２（ｂ）に示す従来のホルダ（取付具）２個分を横方向に連結した形で製作される。【００１４】図１（ａ）に示すように、ホルダ（取付具）５の上端には折り返し１０を設けてある。【００１４】図１（ａ）に示すように、ホルダ（取付具）５上部の折り返し１０により貯留槽上部の縁９を挟み、貯留槽６上部にアクリルカバー取付ネジ８でアクリルカバー７と共に図１（ｂ）に示される穴１１を利用し固定する。【００１５】図１（ｂ）に示されるホルダ（取付具）５の折り返し１０によりホルダ（取付具）５ががたつくことなく固定ネジ８で確実に固定される。
【図１】
0003107855.tif 000003
【手続補正書】
【提出日】平成16年6月26日(2004.6.26)
【手続補正２】
【補正対象書類名】実用新案登録請求の範囲
【補正対象項目名】全文
【補正方法】変更
【補正の内容】
【実用新案登録請求の範囲】
【請求項１】
吸入孔及び吐出孔を有するシリンダと、シリンダ内を往復動して該吸入孔から該吐出孔へと該インキを駆動するプランジャと、プランジャを駆動するモータとをそなえたインキポンプで、プランジャのモータ連結側端のシリンダから外部へ突出する突出部分に潤滑油を供給し、なおかつ漏れ出たインキの固化を防止するための潤滑油供給手段として給油用フェルトを備えた形式のインキポンプにおいて使用されている、給油用フェルトを固定するためのホルダ（取付具）の改良型のホルダ（取付具）であり、インキポンプ１台に８個あるプランジャの２個に対して１個としたホルダを、プランジャ４個に対して１個としたホルダ（取付具）。
【請求項２】
インキポンプ貯留槽上面のアクリルカバーの固定用穴を利用してカバーと共に取付け可能とした請求項１に記載のホルダ（取付具）。
【請求項３】
ホルダ（取付具）上部の折り返しがインキポンプ貯留槽上面の縁にはめ込まれ、アクリルカバー取付ネジで十分に固定される請求項２に記載のホルダ（取付具）。
【手続補正３】
【補正対象書類名】明細書
【補正対象項目名】全文
【補正方法】変更
【補正の内容】
【考案の詳細な説明】
【技術分野】
【０００１】本考案は三菱重工業株式会社製造のインキポンプのプランジャ給油用フェルト固定用ホルダ（取付具）に関する。
【背景技術】
【０００２】三菱重工業株式会社製造のインキポンプのプランジャへの給油用として取り付けられているフェルトの固定用ホルダ（取付具）は２個のプランジャに対して１個として製作されている。【０００３】ホルダ（取付具）は貯留槽内壁に明けられたＭ４のネジ穴に２本の六角ボルトでスプリングワッシャと共に取り付けられ、給油用フェルトを固定している。
【考案の開示】
【考案が解決しようとする課題】
【０００４】インキポンプのプランジャの給油用フェルトはプランジャから漏れたインキが浸透するため、定期交換が必要である。従来のフェルト固定用ホルダ（取付具）は１個ごとに狭い貯留槽の内壁に２本のＭ４のボルトでスプリングワッシャと共に取り付けられている。【０００５】インキポンプを取り付けた印刷機上ではインキポンプ上部スペースが非常に狭く、また小さな貯留槽には手が入らないため、難しい姿勢で長時間の作業を強いられる。【０００６】取り外し及び取付時にはボルトあるいはスプリングワッシャを落下させる危険性があり、落下させると更なる長時間作業の原因となる。
【問題を解決するための手段】
【０００７】印刷機のインキ供給装置として三菱重工業株式会社製造のインキポンプにおいてプランジャ給油用フェルトの固定のためのホルダ（取付具）を改良したホルダ（取付具）であり、インキポンプ１台に８個あるプランジャのうち２個に対して１個のホルダ（取付具）をプランジャ４個に対して１個とした。
【０００８】インキポンプ貯留槽上面のアクリルカバーの固定用穴を利用してアクリルカバーと共に取付可能とした。
【０００９】取付部がインキポンプ貯留槽上面の縁を挟み込み、アクリルカバー取付ネジで十分に固定されることとした。
【考案の効果】
【００１０】従来のホルダ（取付具）は１台のインキポンプに４個取り付けられているが、改良型のホルダ（取付具）は１台のインキポンプに２個となり、取り付けに要する  作業数が２分の１に減少する。
【００１１】ホルダ（取付具）の上部の折り返しがインキポンプ上面の貯留槽の縁を挟む構造となっており、ホルダ（取付具）のがたつきが無く安定するため、容易に取付けができる。
【００１２】改良型のホルダ（取付具）は貯留槽上部のアクリルカバー固定ネジでアクリルカバーと共に固定するため、従来使用されていたスプリングワッシャおよびボルトが不要となり、着脱が簡単である。
【実施例】以下実施例の図面について説明する。【００１３】図１（ｂ）に示す改良型のホルダ（取付具）５は、図２（ｂ）に示す従来のホルダ（取付具）２個分を横方向に連結した形で製作される。【００１４】図１（ａ）に示すように、ホルダ（取付具）５の上端には折り返し１０を設けてある。【００１４】図１（ａ）に示すように、ホルダ（取付具）５上部の折り返し１０により貯留槽上部の縁９を挟み、貯留槽６上部にアクリルカバー取付ネジ８でアクリルカバー７と共に図１（ｂ）に示される穴１１を利用し固定する。【００１５】図１（ｂ）に示されるホルダ（取付具）５の折り返し１０によりホルダ（取付具）５ががたつくことなく固定ネジ８で確実に固定される。
【図面の簡単な説明】
【図１】（ａ）は改良型フェルトホルダを取り付けたのインキポンプ本体側面の断面図、（ｂ）は改良型フェルトホルダの正面、および側面図である。
【符号の説明】
１はインキポンプ本体、２はシリンダ、３はプランジャ、４はフェルト、５は改良型ホルダ、６は潤滑油貯留槽、７はアクリルカバー、８はアクリルカバー取付ネジ、９は潤滑油貯留槽上部縁、１０は改良型フェルトホルダの折り返し、１１は改良型フェルトホルダの固定用穴、１２は潤滑油
【図２】
（ａ）従来型フェルトホルダを取り付けたインキポンプ本体側面の断面図、（ｂ）は従来型フェルトホルダの正面、および側面図である。
【符号の説明】
１はインキポンプ本体、２はシリンダ、３はプランジャ、４はフェルト、５は従来型ホルダ、６はホルダ取付ボルト、７はスプリングワッシャ、８は潤滑油貯留槽、９は従来型フェルトホルダの固定用穴、１０は潤滑油
【手続補正４】
【補正対象書類名】図面
【補正対象項目名】全図
【補正方法】変更
【補正の内容】
【図１】
0003107855.tif 000004
【図２】
0003107855.tif 000005
【手続補正書】
【提出日】平成16年9月24日(2004.9.24)
【手続補正１】
【補正対象書類名】明細書
【補正対象項目名】全文
【補正方法】変更
【補正の内容】
【考案の詳細な説明】
【技術分野】
【０００１】本考案は三菱重工業株式会社製造のインキポンプのプランジャ給油用フェルト固定用ホルダ（取付具）に関する。
【背景技術】
【０００２】三菱重工業株式会社製造のインキポンプのプランジャへの給油用として取り付けられているフェルトの固定用ホルダ（取付具）は２個のプランジャに対して１個として製作されている。【０００３】ホルダ（取付具）は貯留槽内壁に明けられたＭ４のネジ穴に２本の六角ボルトでスプリングワッシャと共に取り付けられ、給油用フェルトを固定している。
【考案の開示】
【考案が解決しようとする課題】
【０００４】インキポンプのプランジャの給油用フェルトはプランジャから漏れたインキが浸透するため、定期交換が必要である。従来のフェルト固定用ホルダ（取付具）は１個ごとに狭い貯留槽の内壁に２本のＭ４のボルトでスプリングワッシャと共に取り付けられている。【０００５】インキポンプを取り付けた印刷機上ではインキポンプ上部スペースが非常に狭く、また小さな貯留槽には手が入らないため、難しい姿勢で長時間の作業を強いられる。【０００６】取り外し及び取付時にはボルトあるいはスプリングワッシャを落下させる危険性があり、落下させると更なる長時間作業の原因となる。
【問題を解決するための手段】
【０００７】印刷機のインキ供給装置として三菱重工業株式会社製造のインキポンプにおいてプランジャ給油用フェルトの固定のためのホルダ（取付具）を改良したホルダ（取付具）であり、インキポンプ１台に８個あるプランジャのうち２個に対して１個のホルダ（取付具）をプランジャ４個に対して１個とした。
【０００８】インキポンプ貯留槽上面のアクリルカバーの固定用穴を利用してアクリルカバーと共に取付可能とした。
【０００９】取付部がインキポンプ貯留槽上面の縁を挟み込み、アクリルカバー取付ネジで十分に固定されることとした。
【考案の効果】
【００１０】従来のホルダ（取付具）は１台のインキポンプに４個取り付けられているが、改良型のホルダ（取付具）は１台のインキポンプに２個となり、取り付けに要する  作業数が２分の１に減少する。
【００１１】ホルダ（取付具）の上部の折り返しがインキポンプ上面の貯留槽の縁を挟む構造となっており、ホルダ（取付具）のがたつきが無く安定するため、容易に取付けができる。
【００１２】改良型のホルダ（取付具）は貯留槽上部のアクリルカバー固定ネジでアクリルカバーと共に固定するため、従来使用されていたスプリングワッシャおよびボルトが不要となり、着脱が簡単である。
【実施例】以下実施例の図面について説明する。【００１３】図１（ｂ）に示す改良型のホルダ（取付具）５は、図２（ｂ）に示す従来型ホルダ（取付具）１３を２個横方向に連結した形で製作される。【００１４】図１（ａ）に示すように、改良型ホルダ（取付具）５の上端には折り返し１０を設けてある。【００１５】図１（ａ）に示すように、改良型ホルダ（取付具）５上部の折り返し１０により潤滑油貯留槽上部縁９を挟み、潤滑油貯留槽６上部にアクリルカバー取付ネジ８によりアクリルカバー７と共に図１（ｂ）に示される穴１１を利用し固定される。【００１６】図１（ｂ）に示される改良型ホルダ（取付具）５の折り返し１０により改良型ホルダ（取付具）５ががたつくことなく固定ネジ８で確実に固定される。
【図面の簡単な説明】
【００１７】
【図１】（ａ）は改良型フェルトホルダを取り付けたインキポンプ本体側面の断面図、（ｂ）は改良型フェルトホルダの正面、および側面図である。
【００１８】
【符号の説明】
図１で１はインキポンプ本体、２はシリンダ、３はプランジャ、４はフェルト、５は改良型ホルダ、６は潤滑油貯留槽、７はアクリルカバー、８はアクリルカバー取付ネジ、９は潤滑油貯留槽上部縁、１０は改良型フェルトホルダの折り返し、１１は改良型フェルトホルダの固定用穴、１２は潤滑油である。
【００１９】
【図２】
（ａ）は従来型フェルトホルダを取り付けたインキポンプ本体側面の断面図、（ｂ）は従来型フェルトホルダの正面、および側面図である。
【００２０】
【符号の説明】
図２で１はインキポンプ本体、２はシリンダ、３はプランジャ、４はフェルト、５は従来型ホルダ、６はホルダ取付ボルト、７はスプリングワッシャ、８は潤滑油貯留槽、９は従来型フェルトホルダの固定用穴、１０は潤滑油である。